(57)【特許請求の範囲】
【請求項１】
夫々が複数の通信端末を収容し、該複数の通信端末からの音声信号をＡＴＭセルに変換して通信回線に接続する複数のＩＡＤ装置と、複数の前記通信回線からのＡＴＭセル化された音声信号をＡＴＭ網に接続するマルチプレクサ装置と、前記ＡＴＭ網を公衆回線網に接続すると共に前記通信端末のＡＴＭ網を経由する信号帯域を制御するメディアゲートウェイとを備えるＡＴＭセル伝送システムにおいて、
前記通信回線のリンクスピードを測定するリンクスピード測定手段と、
前記通信端末によって占有される前記通信回線の通信帯域幅を監視する帯域監視手段とを備え、
前記メディアゲートウェイは、前記リンクスピード測定手段で測定されたリンクスピードと、前記帯域監視手段で検出された通信帯域幅とに基づいて、前記通信端末のＡＴＭ網を経由する信号帯域を定めることを特徴とするＡＴＭセル伝送システム。
【請求項２】
前記メディアゲートウェイは、新たに発呼した通信端末からの音声信号と、既に通信が確立されている通信端末からの音声信号とを共に制御する、請求項１に記載のＡＴＭセル伝送システム。
【請求項３】
前記通信回線がＤＳＬ回線又は無線回線である、請求項１又は２に記載のＡＴＭセル伝送システム。
【請求項４】
前記メディアゲートウェイは、高いビットレートの音声符号化則と低いビットレートの音声符号化則の何れかを選択することによって、前記信号帯域を定める、請求項１〜３の何れかに記載のＡＴＭセル伝送システム。
【請求項５】
前記メディアゲートウェイは、高いビットレートで符号化する音声符号化装置と低いビットレートで符号化する音声符号化装置の何れかを選択する、請求項４に記載のＡＴＭセル伝送システム。
【請求項６】
夫々が複数の通信端末を収容し、該複数の通信端末からの音声信号をＡＴＭセルに変換して通信回線に接続する複数のＩＡＤ装置と、複数の前記通信回線からのＡＴＭセル化された音声信号をＡＴＭ網に接続するマルチプレクサ装置と、前記ＡＴＭ網を公衆回線網に接続するメディアゲートウェイとを備えるＡＴＭセル伝送システムにおける前記ＡＴＭ網の信号帯域の制御方法において、
前記通信回線のリンクスピードと、通信端末が占有している通信帯域幅とを測定し、
前記測定されたリンクスピードと通信帯域幅とに基づいて、前記通信端末のＡＴＭ網を経由する信号帯域を定めることを特徴とする信号帯域の制御方法。
【発明の詳細な説明】
【０００１】
【発明の属する技術分野】
本発明はＡＴＭセル伝送システム、及び信号帯域の制御方法に関し、更に詳しくは、音声データ等の通信データをＡＴＭセル化してＡＴＭ網に送出するＡＴＭセル伝送システム、及び信号帯域の制御方法に関する。
【０００２】
【従来の技術】
ＡＴＭ（Asynchronous Transfer Mode：非同期転送モード）網の発展と共に、例えば電話機による音声通信では、電話回線のみを使用した通信だけでなく、通信経路の一部にＡＴＭ網を使用した通信が広く行われている。このような通信では、音声データは複数のＡＴＭセルに分割され、ＡＴＭ網を伝播する。
【０００３】
図４は、従来のボイス・オーバ・ＡＴＭ（ＶｏＡＴＭ：Voice over Asynchronous Transfer Mode）を用いたＡＴＭセル伝送システムを示している。ＡＴＭセル伝送システムは、複数の電話機２０１を収容するＩＡＤ（Integrated Access Device）２０２と、ＩＡＤ（２０２）を含む複数の発呼装置２０３を収容するマルチプレクサＤＳＬＡＭ（Digital Subscriber Line Access Multiplexer）２０５と、異種のプロトコルを接続するための変換を行うメディアゲートウェイ（ＭＧ：Media Gateway）２０７とを備える。ＡＴＭセル伝送システムは、発呼装置２０３内に配置された電話機２０１を、ＡＴＭ網２０６及び交換機２０８を介して図示しない公衆回線網に接続する。
【０００４】
発呼装置２０３は、電話機２０１とＩＡＤ（２０２）とを備える。ＩＡＤ（２０２）は、ＬＥＳ（Loop Emulation Service）で規定されるＣＰ−ＩＷＦ（Customer Premises InterWorking Function）の機能を備え、収容する電話機２０１の通信データを含む呼処理信号を、ＬＥＳ規定により変換する。電話機２０１から送信された音声通話の通信データは、ＩＡＤ（２０２）によってＡＴＭセル化及び多重化される。ＡＴＭセル化された通信データは、ｘＤＳＬ（Any variety of Digital Subscriber Line, 例えばＡＤＳＬ or ＳＤＳＬ）を介してＤＳＬＡＭ（２０５）に送信される。ここで、ｘＤＳＬは、ツイストペアケーブルを用いて高速通信を実現する技術の総称であり、下り方向の転送速度を高速化したＡＤＳＬ（Asymmetric Digital Subscriber Line）がよく知られている。
【０００５】
ＤＳＬＡＭ（２０５）は、発呼装置２０３から送信される、ＡＴＭセル化された通信データを入力する。ＤＳＬＡＭ（２０５）は、複数本のｘＤＳＬを束ね、ルータなどの通信機器と接続して高速・大容量の基幹回線（バックボーン）への橋渡しを行う。ＤＳＬＡＭ（２０５）に入力された通信データは、ＡＴＭ網２０６を介して、異種のプロトコルを接続するための変換を行うＭＧ２０７に入力される。
【０００６】
ＭＧ２０７は、ＡＴＭフォーラムで規定されるＬＥＳ（Loop Emulation Service Using ＡＡＬ２）のＣＯ−ＩＷＦ（Central Office Interworking Function）に準拠した機能を備え、ＬＥＳで規定される呼処理信号を変換する。ＭＧ（２０７）では、各発呼側装置２０３からＡＴＭセル化したデータとして送り出された通信データが、電話機２０１から送出された元の通信データに変換され、交換機２０８を介して公衆回線網に送出される。
【０００７】
【発明が解決しようとする課題】
上述したＡＴＭセル伝送システム２００では、発呼装置２０３とＤＳＬＡＭ（２０５）とを接続するｘＤＳＬの帯域を予め所定の値に設定し、設定された帯域幅に応じて、同じ発呼装置２０３内で同時に通話可能な電話機２０１の数、及び、音声通話品質（音声符号化則）が設定される。
【０００８】
しかし、ｘＤＳＬの帯域幅は、一定ではなく、ノイズ等の影響によって変動する。このため、実際のｘＤＳＬの帯域幅が設定した値よりも狭い場合には、そのｘＤＳＬを使用する発呼装置２０３での回線品質が十分確保されないという問題がある。また、実際のｘＤＳＬの帯域幅が設定した値よりも広い場合には、通話可能な回線数が予め設定した帯域幅によって制限され、帯域使用率、つまり音声通話品質が必要以上に低くなるという問題がある。
【０００９】
上記した問題点を解消する技術として、特願２００１−３４９３６２には、ＭＧ（２０７）がｘＤＳＬの帯域幅を取得し、この帯域幅と、発呼装置２０３に配置された電話機２０１の数との関係に基づいて、通話可能な回線数を設定するＡＴＭセル伝送システムが記載されている。
【００１０】
上記先願に記載のＡＴＭセル伝送システムは、ｘＤＳＬの帯域を監視して、ｘＤＳＬの帯域が広い場合には、高いビットレートの音声符号化則を使用し、帯域が狭い場合には、低いビットレートの音声符号化則を使用する。また、低いビットレートの音声符号化則を選択するときには、ｘＤＳＬの帯域をオーバーしないように、同時接続可能な回線数を制限する。ｘＤＳＬの帯域幅の変化を的確に捉え、同時に通話が可能な回線数と音声符号化則とをダイナミックに決定するため、通信品質の確保と、帯域使用率の向上とを同時に実現できる。
【００１１】
しかし、上記先願では、トラヒック（使用帯域幅）に関係なく、通話可能な回線数が設定される。例えば、同時接続可能な回線数が多数ある場合に、そのうち少数の回線のみが実際に使用中であっても、同時接続数を優先させるため、新たに呼を生起した電話機に低いビットレートの音声符号化則を選択することがあった。つまり、トラヒックが低く、従ってｘＤＳＬの帯域に余裕がある場合であっても、低いビットレートの音声符号化則が選択されるため、帯域の使用率が低くなるという問題が生じた。
【００１２】
本発明は、上記問題を解消し、ｘＤＳＬの帯域幅、及び、トラヒックに応じて、回線品質の保証された回線を最大限設定することができるＡＴＭセル伝送システム、及び信号帯域の制御方法を提供することを目的とする。
【００１３】
【課題を解決するための手段】
上記目的を達成するために、本発明のＡＴＭセル伝送システムは、夫々が複数の通信端末を収容し、該複数の通信端末からの音声信号をＡＴＭセルに変換して通信回線に接続する複数のＩＡＤ装置と、複数の前記通信回線からのＡＴＭセル化された音声信号をＡＴＭ網に接続するマルチプレクサ装置と、前記ＡＴＭ網を公衆回線網に接続すると共に前記通信端末のＡＴＭ網を経由する信号帯域を制御するメディアゲートウェイとを備えるＡＴＭセル伝送システムにおいて、前記通信回線のリンクスピードを測定するリンクスピード測定手段と、前記通信端末によって占有される前記通信回線の通信帯域幅を監視する帯域監視手段とを備え、前記メディアゲートウェイは、前記リンクスピード測定手段で測定されたリンクスピードと、前記帯域監視手段で検出された通信帯域幅とに基づいて、前記通信端末のＡＴＭ網を経由する信号帯域を定めることを特徴とする。
【００１４】
本発明の信号帯域の制御方法は、夫々が複数の通信端末を収容し、該複数の通信端末からの音声信号をＡＴＭセルに変換して通信回線に接続する複数のＩＡＤ装置と、複数の前記通信回線からのＡＴＭセル化された音声信号をＡＴＭ網に接続するマルチプレクサ装置と、前記ＡＴＭ網を公衆回線網に接続するメディアゲートウェイとを備えるＡＴＭセル伝送システムにおける前記ＡＴＭ網の信号帯域の制御方法において、前記通信回線のリンクスピードと、通信端末が占有している通信帯域幅とを測定し、前記測定されたリンクスピードと通信帯域幅とに基づいて、前記通信端末のＡＴＭ網を経由する信号帯域を定めることを特徴とする。
【００１５】
本発明のＡＴＭセル伝送システム、及び、信号帯域の制御方法では、検出された、通信回線の帯域幅であるリンクスピードと、通信回線の使用状況（トラヒック）との関係にもとづいて、呼を生起した通信端末が使用する信号帯域を定める。このため、リンクスピードが低い場合であっても、トラヒックが低い場合には、呼を生起した通信端末の音声通話品質を必要以上に低くすることがない。
【００１６】
本発明のＡＴＭセル伝送システムでは、前記メディアゲートウェイは、新たに発呼した通信端末からの音声信号と、既に通信が確立されている通信端末からの音声信号とを共に制御することが好ましい。
リンクスピードに余裕がなくなった場合には、トラヒックが低いときに広い占有帯域で接続を確立した通信端末が占有する帯域を狭くすることで、新たに呼を生起した通信端末の通信が可能になる。
【００１７】
また、本発明のＡＴＭセル伝送システムは、前記通信回線がＤＳＬ回線であってもよく、無線回線であってもよい。このような通信回線は、リンクスピードが一定ではなく、周囲の環境等によって変動する。
【００１８】
本発明のＡＴＭセル伝送システムでは、前記メディアゲートウェイは、高いビットレートの音声符号化則と低いビットレートの音声符号化則の何れかを選択することによって、前記信号帯域を定めることが好ましい。例えば、高いビットレートの音声符号化則にはＰＣＭ方式があり、低いビットレートの音声符号化則にはＡＤＰＣＭ方式がある。
【００１９】
本発明のＡＴＭセル伝送システムでは、前記メディアゲートウェイは、高いビットレートで符号化する音声符号化装置と低いビットレートで符号化する音声符号化装置の何れかを選択することが好ましい。
【００２０】
【発明の実施の形態】
以下、図面を参照し、本発明の実施形態例に基づいて、本発明を更に詳細に説明する。図１は、本発明の一実施形態例のＡＴＭセル伝送システムの構成を示している。ＡＴＭセル伝送システムは、それぞれが複数の電話機１０１を収容するＩＡＤ（Integrated Access Device）１０２から成る発呼装置１０３と、発呼装置１０３を収容するマルチプレクサＤＳＬＡＭ（Digital Subscriber Line Access Multiplexer）１０５と、異種のプロトコルを接続するための変換を行うメディアゲートウェイ（ＭＧ：Media Gateway）１０７とを備える。ＡＴＭセル伝送システムは、発呼装置１０３内に配置された電話機１０１を、ＡＴＭ網１０６及び交換機１０８を介して図示しない公衆回線網に接続する。
【００２１】
ＩＡＤ（１０２）は、加入者回路終端機能を有するラインカード（ＬＣ：Line Card）１２０、時分割スイッチ機能を有するスイッチＳＷ１２１、ＴＤＭ（Time Division Multiplex）信号とＡＴＭ信号の間で相互に信号を変換するＡＴＭＣＮＶ（ＡＴＭ CoNVerter）１２２、ｘＤＳＬインタフェース機能を有するＤＳＬＩＦ（ＤＳＬ InterFace）１２３、及び、ＩＡＤ（１０２）内の各部を制御するＩＡＤＣ（ＩＡＤ Controller）１２４を備える。ＩＡＤ（１０２）は、ＡＴＭＦｏｒｕｍで規定されるＬＥＳ（Loop Emulation Service Using ＡＡＬ２）上のＣＰ−ＩＷＦ（Customer Premises Interworking Function）に準拠した機能を備え、電話機１０１が送信する通信データを含む呼処理信号をＡＴＭセル化してＤＳＬＡＭ（１０５）に送信する。
【００２２】
ＬＣ（１２０）は、ＩＡＤ（１０２）が収容する各電話機１０１に対応して配置され、加入者回路終端機能を有する。ＳＷ（１２１）は、時分割スイッチ機能により、使用中の電話機１０１に対応するＬＣ（１２０）を時系列的に選択してＡＴＭＣＮＶ（１２２）に接続する。ＡＴＭＣＮＶ（１２２）は、ＭＧ（１０７）から送信される音声符号化則情報に従って、ＬＥＳで規定される変換則に沿ってＴＤＭ信号とＡＴＭ信号の間で相互に信号を変換する。音声符号化則は、少なくとも２つの音声符号化則を含み、高いビットレートを有するものと、低いビットレートを有するものとがある。ＤＳＬＩＦ（１２３）は、ｘＤＳＬインタフェース終端機能を有し、ｘＤＳＬを介してＤＳＬＡＭ（１０５）と接続する。
【００２３】
ＩＡＤＣ（１２４）は、ＬＣ（１２０）からの呼処理信号を受信して、呼処理信号をＬＥＳで規定されるＰＳＴＮ（公衆交換電話網）プロトコル、又はＩＳＤＮ（総合デジタル通信網）プロトコルに変換し、ＡＴＭＣＮＶ（１２２）を介してＭＧＣ（Media Gateway Controller）１７４と通信する呼処理機能を有する。また、ＤＳＬＩＦ（１２３）からｘＤＳＬ区間で保証される最大帯域幅（以下、リンクスピードと言う）を収集する機能と、ＬＥＳ上のＣＣＳ（Common Channel Signaling）を用いてＭＧＣ（１７４）にリンクスピード情報を伝える機能とを有する。
【００２４】
ＭＧ（１０７）は、ＡＴＭ網１０６のインタフェースを有するＡＴＭＩＦ（ＡＴＭ InterFace）１７０、ＡＴＭ信号とＴＤＭ信号とを変換するＴＤＭＣＮＶ（ＴＤＭ CoNVerter）１７１、時分割スイッチ機能を有するＳＷ（１７２）、交換機インタフェースを有するＥＸＩＦ（EXternal InterFace）１７３、及び、ＭＧ（１０７）の各部を制御するＭＧＣ（１７４）を備える。ＭＧ（１０７）は、ＬＥＳ上のＣＯ−ＩＷＦ（Central Office Interworking Function）に準拠した機能を備え、ＩＡＤ（１０２）に対してｘＤＳＬ及びＡＴＭ網１０６を介して呼制御を行う。
【００２５】
ＡＴＭＩＦ（１７０）は、ＡＴＭインタフェース終端機能を有し、ＡＴＭ網１０６を介してＤＳＬＡＭ（１０５）と接続する。ＴＤＭＣＮＶ（１７１）は、ＭＧＣ（１７４）によって指定された音声符号化則に対応する、ＬＥＳで規定される変換則に沿ってＡＴＭ信号とＴＤＭ信号の間で相互に信号を変換する。ＳＷ（１７２）は、時分割スイッチ機能により、通信データを送信すべき交換機１０８を、ＥＸＩＦ（１７３）を介して時系列的に選択する。ＭＧＣ（１７４）は、ＡＴＭＩＦ（１７０）から受信する、ＩＡＤ（１０４）からのＬＥＳで規定されるアナログ呼処理信号とＩＳＤＮ呼処理信号とを、交換機インタフェースの呼処理信号に変換する機能を有する。
【００２６】
ＭＧＣ（１７４）とＩＡＤＣ（１２４）の間では、呼処理信号を運ぶためにＬＥＳ規定のＣＣＳが用いられる。ＭＧＣ（１７４）は、ＩＡＤＣ（１２４）との間でＣＣＳレイヤ２リンクが確立すると、ＩＡＤＣ（１２４）が収集したｘＤＳＬのリンクスピード情報を読み込む。ＭＧＣ（１７４）は、リンクスピードが、予めＭＧＣ（１７４）に入力されたＩＡＤ（１０２）に収容する電話機１０１の全てに低いビットレートの音声符号化則を適用したときの帯域占有幅に満たないときには、リンクスピードを超える分の回線を閉塞、つまり、同時使用可能な回線数を制限する。ＩＡＤＣ（１２４）から読み込んだリンクスピード情報は、ＭＧＣ（１７４）内に配置された図示しないメモリなどの記憶装置に保存される。
【００２７】
ＭＧＣ（１７４）は、何れかの発呼装置１０３内の電話機１０１に対して呼が生起した場合には、その発呼装置１０３とＤＳＬＡＭ（１０５）とを接続するｘＤＳＬのリンクスピード情報を参照して適切な音声符号化則を選択し、選択した音声符号化則をＴＤＭＣＮＶ（１７２）に設定する。音声符号化則は、高いビットレートの音声符号化則としてＰＣＭ（Pulse Code Modulation）があり、低いビットレートの音声符号化則としてＡＤＰＣＭ（Adaptive Differential ＰＣＭ）がある。例えば、音声符号化則としてＰＣＭを設定した際のｘＤＳＬ区間の占有帯域が、リンクスピードに満たない場合は、ＰＣＭを選択し、ＰＣＭを設定すると、リンクスピードを越える帯域が必要になると判断した場合には、ＡＤＰＣＭを選択する。
【００２８】
図２は、本実施形態例のＡＴＭセル伝送システムにおける接続の確立の手順を示している。なお、同図ではＩＳＤＮ回線を例に挙げて説明する。ＩＡＤＣ（１２４）は、ＩＡＤ（１０２）の立ち上がり時にリセット信号を発生し、ＤＳＬＩＦ（１２３）に対して、ＤＳＬＡＭ（１０４）との間でＤＳＬレイヤ１リンクの確立動作を指示する（ステップＳ１０１）。ＩＡＤＣ（１２４）は、ＩＡＤ（１０２）とＤＳＬＡＭ（１０４）の間でＤＳＬレイヤ１リンクが確立すると、ＤＳＬＩＦ（１２３）を介してｘＤＳＬ区間のリンクスピードを収集する（ステップＳ１０２）。
【００２９】
ＩＡＤＣ（１０２）は、ＤＳＬレイヤ１リンクが確立した後に、Data Link Sublayer of ＬＡＰＶ５（ＬＡＰＶ５−ＤＬ）メッセージを編集し、ｘＤＳＬ及びＡＴＭ網１０６を介して、ＭＧＣ（１７４）との間でＣＣＳレイヤ２リンク確立動作を行う（ステップＳ１０３）。ＭＧＣ（１７４）は、ＣＣＳレイヤ２リンクが確立すると、リンクスピード要求メッセージを編集してＩＡＤＣ（１２４）に送信する（ステップＳ１０４）。このリンクスピード要求メッセージとしては、ＩＴＵ−ＴＧ９６４で規定されるＣＯＭＭＯＮ  ＣＴＬプロトコルのRequest variant and interface ＩＤメッセージがある。
【００３０】
ＩＡＤＣ（１２４）は、リンクスピード要求メッセージを受信すると、ステップＳ１０２で収集したリンクスピードを、適当なvariant値にマッピングしてvariant and interface ＩＤメッセージを編集し、ＭＧＣ（１７４）へ送信する（ステップＳ１０５)。また、ＩＡＤＣ（１２４）が、ＩＡＤ（１０２）の立ち上げ後にリンクスピードの変化を検出した場合には、変化したリンクスピードを随時ＭＧＣ（１７４）へ送信する。ＭＧＣ（１７４）は、ＩＡＤＣ（１２４）から送信されたvariant値からリンクスピードを算出し、その値をメモリなどの記憶装置に保存する（ステップＳ１０６)。
【００３１】
リンクスピードは、各発呼装置１０３とＤＳＬＡＭ（１０４）とを接続する各ｘＤＳＬ毎に保存される。ＭＧＣ（１７４）は、ステップＳ１０５で保存したリンクスピードと、その発呼装置１０３内で現在使用中の電話機１０１の数との関係に基づいて、ＩＡＤ（１０２）に設定すべき音声符号化則を決定する。
【００３２】
図３は、ＭＧ（１０７）がＩＡＤ（１０２）に設定する音声符号化則の選択の手順をフローチャートとして示している。ＭＧＣ（１７４）は、何れかの電話機１０１から呼が生起すると、リンクスピード（Ｌ）を記憶装置から読み込み（ステップＳ２０１）、その電話機１０１が属する発呼装置１０３が現在使用しているｘＤＳＬの帯域幅に、高い方のビットレートを有するＰＣＭが占有すべき帯域を足した値（Ｎ１）を算出する（ステップＳ２０２）。
【００３３】
ＭＧＣ（１７４）は、ステップＳ２０１で読み出したリンクスピード（Ｌ）と、ステップＳ２０２で算出された値（Ｎ１）とを比較し、呼を生起した電話機１０１をＰＣＭの音声符号化則によって接続すると、ｘＤＳＬのリンクスピードを超えるか否かを判定する（ステップＳ２０３）。リンクスピードを超えない（Ｌ＞Ｎ１）と判定されたときには、ＴＤＭＣＮＶ（１７１）にＰＣＭの音声符号化則を設定し（ステップＳ２０３）、呼を生起した電話機１０１の通信をＰＣＭによって実現する（ステップＳ２０６）。
【００３４】
ステップＳ２０３で、リンクスピードを超える（Ｌ＜Ｎ１）と判定されたときには、発呼装置１０３が現在使用しているｘＤＳＬの帯域幅に、低い方のビットレートを有するＡＤＰＣＭが占有する帯域を足した値（Ｎ２）を算出する（ステップＳ２０５）。ＭＧＣ（１７４）は、このＮ２と、リンクスピード（Ｌ）とを比較し、電話機１０１をＡＤＰＣＭの音声符号化則によって接続すると、リンクスピードを超えるか否かを判定する。（ステップＳ２０５）。
【００３５】
Ｎ２がリンクスピードを超えないとき（Ｌ＞Ｎ２）には、ＴＤＭＣＮＶ（１７１）にＡＤＰＣＭの音声符号化則を設定し（ステップＳ２０６）、その電話機１０１の通信をＡＤＰＣＭによって実現する。ステップＳ２０５でリンクスピードを超える（Ｌ＜Ｎ２）と判断されたときには、現在接続中の電話機１０１の音声符号化則を、必要なだけＰＣＭからＡＤＰＣＭに変更し（ステップＳ２０５）、呼を生起した電話機１０１をＡＤＰＣＭによって接続する（ステップＳ２０６）。
【００３６】
図２に戻り、ＭＧＣ（１７４）は、上記のように選択された音声符号化則をＴＤＭＣＮＶ（１７４）に設定し、ＬＥＳで規定されているＢＣＣ（Bearer Channel Connection）プロトコルのアロケーション（allocation）メッセージをＩＡＤＣ（１２４）に送信し、ＩＳＤＮのＤチャネルを確保する（ステップＳ１０７）。電話機１０１の通話パスは、電話機１０１と交換機１０８との間で送受信されるＩＴＵ−Ｔ  Ｑ９３１に基づく呼設定手順、及び、ＩＡＤＣ（１２４）とＭＧＣ（１７４）の間で送受信されるＢＣＣプロトコルによる音声チャネルの確保手順により確立する。（ステップＳ１０８）。
【００３７】
交換機１０８から送信される音声データは、ＥＸＩＦ（１７３）及びＳＷ（１７２）を介して、ＴＤＭＣＮＶ（１７１）において設定された音声符号化則に基づいてＡＡＬ２フレームに変換されて、ＡＴＭ網１０６を介してＩＡＤ（１０２）に送信される（ステップＳ１０９）。ＩＡＤ（１０２）内のＡＴＭＣＮＶ（１２２）は、ＭＧ（１０７）においてＡＡＬ２フレームに変換された音声データを、ＴＤＭ信号に変換する。ＴＤＭ信号に変換された音声は、ＳＷ（１２１）及びＬＣ（１２０）を介して、電話機１０１に送信される。
【００３８】
電話機１０１から、交換機１０８へ送信される音声データは、交換機１０８から電話機１０１へ送信された経路の逆の経路をたどる（ステップＳ１１０）。電話機１０１から送信された音声データが、ＡＴＭＣＮＶ（１２２）においてＴＤＭ信号からＡＡＬ２フレームへ変換される際には、ＭＧ（１０７）からＩＡＤ（１０２）へ送られたＡＡＬ２フレームのフォーマットを参照して、同じ音声符号化則によって変換される。
【００３９】
本実施形態例では、ノイズ等によって変化しやすいｘＤＳＬ区間のリンクスピードを随時収集し、これと現在占有しているｘＤＳＬの帯域との関係から、設定する音声符号化則を選択する。このため、発呼装置１０３が収容する電話機１０１の数に比べて、リンクスピードが低い場合であっても、電話機１０１の使用状況が低い場合には、高いビットレートの音声符号化則を選択し、ｘＤＳＬの帯域の使用率が必要以上に低くなることがなく、ｘＤＳＬ区間を有効に使用できる。
【００４０】
また、トラヒックが低いときに、通話品質を確保するために高いビットレートで電話機１０１を接続した後に、トラヒックが増えるなどでリンクスピードに余裕がなくなった場合には、現在使用中の音声符号化則を低いビットレートのものに再設定し、回線品質を確保する。このため、リンクスピードの範囲内で、同時接続ユーザ数を確保することができる。
【００４１】
なお、発呼装置とこれを収容する装置との間の通信は、ｘＤＳＬ回線による通信に限られず、帯域（品質）が変化する媒体、例えば無線であってもよい。また、適用する音声符号化則は、ビットレートが異なるＰＣＭとＡＤＰＣＭとを例に挙げて説明したが、占有する帯域が異なるものであれば、ビットレートだけでなく、符号化の種類が異なるものを選択してもよい。上記実施形態例では、呼が生起したときに現在使用中の音声符号化則を変更したが、通信回線の状況が変化したことなどによりリンクスピードが低くなった場合などには、リンクスピードの変化を検知したタイミングで、音声符号化則を変更してもよい。
【００４２】
以上、本発明をその好適な実施形態例に基づいて説明したが、本発明のＡＴＭセル伝送システム、及び信号帯域の制御方法は、上記実施形態例にのみ限定されるものでなく、上記実施形態例の構成から種々の修正及び変更を施したＡＴＭ伝送システム、及び信号帯域の制御方法も、本発明の範囲に含まれる。
【００４３】
【発明の効果】
以上説明したように、本発明のＡＴＭセル伝送システム、及び信号帯域の制御方法は、環境等の変化によって変動する通信回線のリンクスピードと、現在使用中の通信回線の帯域との関係から設定すべき音声符号化則を選択し、呼を生起した電話機の音声通話を実現する。このため、リンクスピードに比してトラヒックが低いときには、高いビットレートの音声符号化則を選択して通話品質を向上することができる。また、トラヒックが高いときには、低いビットレートの音声符号化則を選択して、接続ユーザ数、及び、ｘＤＳＬ区間の回線品質を確保することができる。
【図面の簡単な説明】
【図１】本発明の一実施形態例のＡＴＭセル伝送システムの構成を示すブロック図。
【図２】図１のＡＴＭセル伝送システムの接続確立の手順を示すフローチャート。
【図３】図１のＭＧ（１０７）がＴＤＭＣＮＶ（１７１）に設定する音声符号化則の選択の手順を示すフローチャート。
【図４】従来のＡＴＭセル伝送システムの構成を示すブロック図。
【符号の説明】
１０１、２０１：電話機
１０２、２０２：ＩＡＤ（Integrated Access Device）
１０３、２０３：発呼装置
１０５、２０５：ＤＳＬＡＭ（ＤＳＬ Access Multiplexer）
１０６、２０６：ＡＴＭ網
１０７、２０７：ＭＧ（Media Gateway）
１０８、２０８：交換機
１２０：ＬＣ（Line Card）
１２１：スイッチ（ＳＷ）
１２２：ＡＴＭＣＮＶ（ＡＴＭ Converter）
１２３：インタフェース（ＤＳＬＩＦ）
１２４：ＩＡＤＣ（ＩＡＤ Controller）
１７０：インタフェース（ＡＴＭＩＦ）
１７１：ＴＤＭＣＮＶ（ＴＤＭ Converter）
１７２：スイッチ（ＳＷ）
１７３：インタフェース（ＥＸＩＦ）
１７４：ＭＧＣ（ＭＧ Controller）
【図１】
0003890394.tif 000002
【図２】
0003890394.tif 000003
【図３】
0003890394.tif 000004
【図４】
0003890394.tif 000005